【手続補正書】
【提出日】平成18年2月10日(2006.2.10)
【手続補正１】
【補正対象書類名】明細書
【補正対象項目名】発明の名称
【補正方法】変更
【補正の内容】
【発明の名称】光学機器、カメラ及びレンズ
【手続補正２】
【補正対象書類名】明細書
【補正対象項目名】特許請求の範囲
【補正方法】変更
【補正の内容】
【特許請求の範囲】
【請求項１】振れ状態を検出する振れ検出手段と、
前記振れ検出手段の検出結果に基づいて前記振れに起因する像振れを補正する像振れ補正手段とを有する光学機器であって、
前記振れ検出手段の検出結果に基づいて前記光学機器の支持状態を検知する支持状態検知手段と、
光学機器の予め定められた動作が開始されることを検知する動作検知手段と、
前記動作検知手段の検知結果に応じて、前記支持状態の検知動作を停止させる制御手段とを有することを特徴とする光学機器。
【請求項２】振れ状態を検出する振れ検出手段と、
前記振れ検出手段の検出結果に基づいて前記振れに起因する像振れを補正する像振れ補正手段とを有する光学機器であって、
前記振れ検出手段の検出結果を支持状態判定レベルと比較することにより、前記光学機器の支持状態を検知する支持状態検知手段と、
光学機器の予め定められた動作が開始されることを検知する動作検知手段と、
前記動作検知手段の検知結果に応じて、前記支持状態検知判定レベルを変更する制御手段とを有することを特徴とする光学機器。
【請求項３】振れ状態を検出する振れ検出手段と、
前記振れ検出手段の検出結果に基づいて前記振れに起因する像振れを補正する像振れ補正手段とを有する光学機器であって、
前記光学機器の支持状態を検知する支持状態検知手段と、
前記支持状態検知手段の検知結果に応じて前記像振れ補正手段の動作特性を変更する特性変更手段と、
光学機器の予め定められた動作が開始されることを検知する動作検知手段と、
前記動作検知手段の検知結果に応じて、前記特性変更手段による特性変更を規制する規制手段とを有することを特徴とする光学機器。
【請求項４】前記支持状態検知手段は、前記光学機器が三脚に固定されているか否かを検知するものであることを特徴とする請求項１乃至３の何れかに記載の光学機器。
【請求項５】請求項１乃至３の何れかに記載の光学機器は、カメラであり、前記予め定められた動作は、前記カメラのレリーズ動作であることを特徴とするカメラ。
【請求項６】請求項１乃至３の何れかに記載の光学機器は、カメラであり、前記予め定められた動作は、前記カメラのフィルム給送動作であることを特徴とするカメラ。
【請求項７】請求項１乃至３の何れかに記載の光学機器は、カメラに装着可能なレンズであり、前記予め定められた動作は、前記カメラのレリーズ動作であることを特徴とするレンズ。
【請求項８】請求項１乃至３の何れかに記載の光学機器は、カメラに装着可能なレンズであり、前記予め定められた動作は、前記カメラのフィルム給送動作であることを特徴とするレンズ。
【手続補正３】
【補正対象書類名】明細書
【補正対象項目名】０００１
【補正方法】変更
【補正の内容】
【０００１】
【発明の属する技術分野】本発明は、像振れ補正機能付きの光学機器、カメラ及びレンズの改良に関するものである。
【手続補正４】
【補正対象書類名】明細書
【補正対象項目名】００２０
【補正方法】変更
【補正の内容】
【００２０】
そして、像振れ補正は、撮影者が手持ちで撮影する場合、三脚に取り付けて撮影する場合など様々な状況に応じた最適な特性がある。例えば、一眼レフカメラの場合、撮影者が手持ちで撮影をする際には、手振れによる低周波の振れまで補正するように特性を設定すれば良いが、カメラを三脚に取り付けて撮影をする場合は、低周波の手振れが無いのでカメラのクイックリターンミラーやシャッタによる高周波の振動のみを補正するように像振れ補正特性を設定する方が良い。これは、低周波を効かせてしまうと振れセンサのドリフトにより撮影結果が悪化してしまうからである。この点に鑑み、カメラの支持状態を検知し、その支持状態に応じた像振れ補正特性を設定することが提案されている。
【手続補正５】
【補正対象書類名】明細書
【補正対象項目名】００２４
【補正方法】変更
【補正の内容】
【００２４】
（発明の目的）本発明の第１の目的は、所定の動作中に振れ検出手段の出力を用いることによって支持状態の検知を誤ってしてしまうことを防止し、常に正確な支持状態検知を行うことのできる像振れ補正機能付きの光学機器を提供しようとするものである。
【手続補正６】
【補正対象書類名】明細書
【補正対象項目名】００２５
【補正方法】削除
【補正の内容】
【手続補正７】
【補正対象書類名】明細書
【補正対象項目名】００２６
【補正方法】変更
【補正の内容】
【００２６】
本発明の第２の目的は、所定の動作中に振れ検出手段の出力を用いることによって支持状態の検知を誤ったとしても、不適正な像振れ補正が行われてしまうのを防止することのできる像振れ補正機能付きの光学機器を提供しようとするものである。
【手続補正８】
【補正対象書類名】明細書
【補正対象項目名】００２７
【補正方法】変更
【補正の内容】
【００２７】
【課題を解決するための手段】上記第１の目的を達成するために、請求項１に記載の本発明は、振れ状態を検出する振れ検出手段と、前記振れ検出手段の検出結果に基づいて前記振れに起因する像振れを補正する像振れ補正手段とを有する光学機器であって、前記振れ検出手段の検出結果に基づいて前記光学機器の支持状態を検知する支持状態検知手段と、光学機器の予め定められた動作が開始されることを検知する動作検知手段と、前記動作検知手段の検知結果に応じて、前記支持状態の検知動作を停止させる制御手段とを有する光学機器とするものである。
【手続補正９】
【補正対象書類名】明細書
【補正対象項目名】００２８
【補正方法】変更
【補正の内容】
【００２８】
同じく上記第１の目的を達成するために、請求項２に記載の本発明は、振れ状態を検出する振れ検出手段と、前記振れ検出手段の検出結果に基づいて前記振れに起因する像振れを補正する像振れ補正手段とを有する光学機器であって、前記振れ検出手段の検出結果を支持状態判定レベルと比較することにより、前記光学機器の支持状態を検知する支持状態検知手段と、光学機器の予め定められた動作が開始されることを検知する動作検知手段と、前記動作検知手段の検知結果に応じて、前記支持状態検知判定レベルを変更する制御手段とを有する光学機器とするものである。
【手続補正１０】
【補正対象書類名】明細書
【補正対象項目名】００２９
【補正方法】削除
【補正の内容】
【手続補正１１】
【補正対象書類名】明細書
【補正対象項目名】００３０
【補正方法】削除
【補正の内容】
【手続補正１２】
【補正対象書類名】明細書
【補正対象項目名】００３１
【補正方法】削除
【補正の内容】
【手続補正１３】
【補正対象書類名】明細書
【補正対象項目名】００３２
【補正方法】削除
【補正の内容】
【手続補正１４】
【補正対象書類名】明細書
【補正対象項目名】００３３
【補正方法】変更
【補正の内容】
【００３３】
また、上記第２の目的を達成するために、請求項３に記載の本発明は、振れ状態を検出する振れ検出手段と、前記振れ検出手段の検出結果に基づいて前記振れに起因する像振れを補正する像振れ補正手段とを有する光学機器であって、前記光学機器の支持状態を検知する支持状態検知手段と、前記支持状態検知手段の検知結果に応じて前記像振れ補正手段の動作特性を変更する特性変更手段と、光学機器の予め定められた動作が開始されることを検知する動作検知手段と、前記動作検知手段の検知結果に応じて、前記特性変更手段による特性変更を規制する規制手段とを有する光学機器とするものである。
【手続補正１５】
【補正対象書類名】明細書
【補正対象項目名】００３４
【補正方法】削除
【補正の内容】
【手続補正１６】
【補正対象書類名】明細書
【補正対象項目名】００３７
【補正方法】変更
【補正の内容】
【００３７】
図１において、３１はレンズＭＰＵであり、カメラとの通信によって、レンズ側の制御を行っている。３２は振れを検出する振れセンサ（以下の実施の形態では、角速度センサを用いた例を示している）であり、ここからの出力信号はハイパスフィルタによりＤＣ成分をカットし、増幅・ノイズ除去のローパスフィルタ（ＨＰＦ・増幅・ＬＰＦ回路）３３を通ってＭＰＵ３１のＡ／Ｄ変換端子に入力される。また、補正レンズの位置検出を行うレンズ位置検出装置３４の出力は、信号処理回路３５でフィルタなどの処理が行われ、ＭＰＵ３１のＡ／Ｄ変換入力端子に入力される。これら二つの振れ信号と位置検出信号がＭＰＵ３１でフィードバック演算され、コイルドライバー３６を介して補正レンズを駆動し、像振れは補正される。
【手続補正１７】
【補正対象書類名】明細書
【補正対象項目名】００５４
【補正方法】変更
【補正の内容】
【００５４】
次のステップ＃１８においては、レリーズスイッイＳＷ２がＯＮされたかどうかの判定を行い、該レリーズスイッチＳＷ２がＯＮされていなければステップ＃１９以降へと進み、三脚検知動作を開始し、一方、レリーズスイッチＳＷ２がＯＮされていればステップ＃２４へ進み、三脚検知動作を中断する。
【手続補正１８】
【補正対象書類名】明細書
【補正対象項目名】００５９
【補正方法】変更
【補正の内容】
【００５９】
前記レンズＭＰＵ３１のポート出力はコイルドライバー３６に入力し、ムービングマグネットによって補正レンズが駆動され、像振れが補正が行われる。
【手続補正１９】
【補正対象書類名】明細書
【補正対象項目名】００６８
【補正方法】変更
【補正の内容】
【００６８】
ステップ＃３５へ進むと、ここでは最大値が所定値Ｄ１もしくはＤ２より小さいので、三脚支持と判定する（Ｓ＿ＫＹＡＫＵ＝１）。また、ステップ＃３６へ進むと、ここでは最大値が所定値Ｄ１もしくはＤ２より大きいので、手持ちと判定する（Ｓ＿ＫＹＡＫＵ＝０）。その後は、何れも前述したステップ＃２４以降の動作を実行する。
【手続補正２０】
【補正対象書類名】明細書
【補正対象項目名】００７０
【補正方法】変更
【補正の内容】
【００７０】
また、ステップ＃３２でのレリーズスイッチＳＷ２がＯＮ判定を、フィルム給送中であるかどうかの判定に変更することによって、フィルム給送による振動が角速度センサ信号に影響を与え、三脚支持にもかかわらず手持ち状態となる等の誤検知を防ぐことができる。
【手続補正２１】
【補正対象書類名】明細書
【補正対象項目名】００７２
【補正方法】削除
【補正の内容】
【手続補正２２】
【補正対象書類名】明細書
【補正対象項目名】００７４
【補正方法】変更
【補正の内容】
【００７４】
図６は本発明の実施の第３の形態における一眼レフカメラの交換レンズ側の主要部分の動作を示すフローチャートであり、上記実施の第１の形態における図３と同様の部分は同一のステップ番号を付し、その部分の説明は省略する。また、図６以降の動作は、上記実施の第１の形態における図４と全て同様であるのでその説明も省略する。なお、該一眼レフカメラの回路構成は図１と同様であるものとする。
【手続補正２３】
【補正対象書類名】明細書
【補正対象項目名】００７５
【補正方法】変更
【補正の内容】
【００７５】
上記実施の第１の形態における図３のフローチャートと異なる部分は、ステップ＃４１〜＃４６であり、この部分について詳述する。
【手続補正２４】
【補正対象書類名】明細書
【補正対象項目名】００８１
【補正方法】変更
【補正の内容】
【００８１】
図７は本発明の実施の第４の形態における一眼レフカメラの交換レンズ側の主要部分の動作を示すフローチャートであり、上記実施の第１の形態における図３と同様の部分は同一のステップ番号を付し、その部分の説明は省略する。また、図７以降の動作は、上記実施の第１の形態における図４と全て同様であるのでその説明も省略する。
【手続補正２５】
【補正対象書類名】明細書
【補正対象項目名】００９２
【補正方法】変更
【補正の内容】
【００９２】
（発明と実施の形態の対応）上記実施の第１の形態において、レンズＭＰＵ３１内の図３のステップ＃１６，１７及びステップ＃１９〜＃２２の動作を実行する部分、レンズＭＰＵ３１内の図５のステップ＃１６，１７，３１及びステップ＃３３〜＃３６の動作を実行する部分、レンズＭＰＵ３１内の図６のステップ＃１６，１７及びステップ＃４３〜＃４６の動作を実行する部分、又は、レンズＭＰＵ３１内の図７のステップ＃１６，１７，５１及びステップ＃５４〜＃５８の動作を実行する部分が、本発明の支持状態検知手段に相当する。
【手続補正２６】
【補正対象書類名】明細書
【補正対象項目名】００９３
【補正方法】変更
【補正の内容】
【００９３】
また、レンズＭＰＵ３１内の図３のステップ＃１８の動作を実行する部分、レンズＭＰＵ３１内の図５のステップ＃３２〜＃３４の動作を実行する部分、レンズＭＰＵ３１内の図６のステップ＃４１，＃４２の動作を実行する部分、又は、レンズＭＰＵ３１内の図７のステップ＃５２〜＃５６の動作を実行する部分が本発明の制御手段に、それぞれ相当する。
【手続補正２７】
【補正対象書類名】明細書
【補正対象項目名】００９５
【補正方法】変更
【補正の内容】
【００９５】
また、像振れ補正装置は交換レンズに組み込んだ例を示したが、像振れ補正装置が交換レンズ内になく、交換レンズの前方に取り付けるコンバージョン・レンズなどの中に入る付属品としての形態をとっても良い。
【手続補正２８】
【補正対象書類名】明細書
【補正対象項目名】００９９
【補正方法】変更
【補正の内容】
【００９９】
【発明の効果】以上説明したように、本発明によれば、所定の動作中に振れ検出手段の出力を用いることによって支持状態の検知を誤ってしてしまうことを防止し、常に正確な支持状態検知を行うことができる。
【手続補正２９】
【補正対象書類名】明細書
【補正対象項目名】０１００
【補正方法】削除
【補正の内容】
【手続補正３０】
【補正対象書類名】明細書
【補正対象項目名】０１０１
【補正方法】変更
【補正の内容】
【０１０１】
また、本発明によれば、所定の動作中に振れ検出手段の出力を用いることによって支持状態の検知を誤ったとしても、不適正な像振れ補正が行われてしまうのを防止することができる。